(57)【要約】  筐体と断熱材とのこすれを低減し、且つ、こすれによる軋み音の発生源の特定が容易である空気調和機の室内機。空気調和機の室内機は、室内熱交換器と、前記室内熱交換器を収容し、外郭側面部、及び、外郭天面部を有する筐体と、前記筐体の内面に配置され、断熱材天面部、及び、前記外郭側面部の方向に突出するリブが形成された断熱材側面部を有する断熱材と、を備え、前記断熱材は、前記断熱材の前記リブが前記筐体と接触している。
2017109849.tif 000002
【特許請求の範囲】
【請求項１】
室内熱交換器と、
前記室内熱交換器を収容し、外郭側面部、及び、外郭天面部を有する筐体と、
前記筐体の内面に配置され、前記外郭側面部の方向に突出するリブが形成された断熱材側面部、及び、前記断熱材側面部の上部に位置する断熱材天面部を有する断熱材と、を備え、
前記断熱材は、
前記断熱材の前記リブが前記筐体と接触している、
空気調和機の室内機。
【請求項２】
前記断熱材は金型により形成された発泡成形品であり、
前記リブは、前記金型の抜き方向と平行に設けられている、
請求項１記載の空気調和機の室内機。
【請求項３】
前記断熱材は、
前記リブが形成されていないフラット部を有し、
前記フラット部は、
前記外郭天面部から離れるにつれて、前記外郭側面部に近づく方向の勾配を有する、
請求項１又は２に記載の空気調和機の室内機。
【請求項４】
前記外郭天面部、及び、前記断熱材天面部は、
対応する位置にそれぞれ形成された凹部を有し、
前記凹部の底面、及び、上面において接触し、
前記底面、及び、前記上面を繋ぐ面において隙間が形成された、
請求項１〜３のいずれか一項に記載の空気調和機の室内機。
【請求項５】
前記リブは、
前記断熱材側面部の各辺のそれぞれに２本以上形成されている、
請求項１〜４のいずれか一項に記載の空気調和機の室内機。
【請求項６】
前記断熱材は、
前記外郭側面部の内面寸法よりも大きい寸法で形成され、
前記筐体に前記断熱材が圧入される、
請求項１〜５のいずれか一項に記載の空気調和機の室内機。
【請求項７】
前記リブの先端は、
摺動性のある材料が設けられている、
請求項１〜６のいずれか一項に記載の空気調和機の室内機。
【発明の詳細な説明】
【技術分野】
【０００１】
本発明は、空気調和機の室内機に関し、特に、異音対策に関するものである。
【背景技術】
【０００２】
空気調和機の室内機には、本体ケーシングの内側面に結露などを防止するための断熱材が設けられているが、暖房運転時などの温度変化により本体ケーシングと断熱材とがこすれあうと、軋み音が発生する。軋み音を低減させる対策として、例えば、特許文献１には、本体ケーシングと据付板などとの隙間に、隙間の距離よりも厚い断熱材をはさみこみ、本体ケーシング、及び、据付板などに密着させることが提案されている。
【先行技術文献】
【特許文献】
【０００３】
【特許文献１】特開２００９−２１０２０２号公報
【発明の概要】
【発明が解決しようとする課題】
【０００４】
特許文献１のように、断熱材、本体ケーシング、据付板などを密着させると、温度変化によりそれぞれの材料が異なる熱膨張率で膨張してせん断方向の変位の相違が生じ、材料同士の間でこすれが生じるだけでなく、こすれにより軋み音が発生してしまう。また、面で密着した材料から生じた軋み音は、発生した場所を特定することが容易ではなく、軋み音を低減する措置を講じることが困難である。【０００５】
本発明は、上記のような課題を解決するためになされたものであり、こすれを低減し、且つ、こすれによる軋み音の発生源の特定が容易である空気調和機の室内機を提供することを目的とする。
【課題を解決するための手段】
【０００６】
本発明に係る空気調和機の室内機は、室内熱交換器と、前記室内熱交換器を収容し、外郭側面部、及び、外郭天面部を有する筐体と、前記筐体の内面に配置され、前記外郭側面部の方向に突出するリブが形成された断熱材側面部、及び、前記断熱材側面部の上部に位置する断熱材天面部を有する断熱材と、を備え、前記断熱材は、前記断熱材の前記リブが前記筐体と接触している。
【発明の効果】
【０００７】
本発明に係る空気調和機の室内機によれば、断熱材は、断熱材を収容する筐体とリブにより直線状に接触しているため、筐体と断熱材と異なる熱膨張係数を有することで相対的な移動が生じても、筐体と断熱材とのこすれが起きにくい。こすれが生じた場合でも、筐体と断熱材とが直線状に接触しているため、軋み音が抑制され、且つ、軋み音が発生した場所の特定が容易である。
【図面の簡単な説明】
【０００８】
【図１】実施の形態に係る空気調和機の室内機の断面図である。
【図２】図１の空気調和機の室内機の筐体の斜視図である。
【図３】図１の空気調和機の室内機の断熱材の斜視図である。
【図４】図１の空気調和機の室内機の断熱材フラット部を説明する図である。
【図５】図１の空気調和機の室内機の断熱材リブを説明する図である。
【図６】図１の空気調和機の室内機の上面部分を説明する図である。
【発明を実施するための形態】
【０００９】
実施の形態．
本実施の形態に係る空気調和機の室内機は、例えば、天井埋め込み形の４方向吹出しカセットなどの形態を有する空気調和機の室内機であり、圧縮機、室外機熱交換器などを備える室外機とともに冷媒回路により接続され、冷凍サイクルを構成するものである。図１は本実施の形態に係る空気調和機の室内機１の断面図である。図１に示すように、空気調和機の室内機１は、室内ファンモータ８により駆動されるターボファン５、及び、室内熱交換器２を構成要素として備え、各構成要素を板金などの金属から形成された筐体１ａに収容している。また、空気調和機の室内機１の下面には、吸込口７、及び、吹出口６が形成された化粧パネル９が取り付けられている。空気調和機の室内機１は、ターボファン５の駆動により吸込口７から空気を吸い込み、室内熱交換器２の内部を流通する冷媒と熱交換させることで調和空気を生成し、吹出口６から空調対象空間に調和空気を吹き出す。空気調和機の室内機１の内面には、断熱材４が筐体１ａに沿うよう収容されており、空気調和機の室内機１内の空気と、筐体１ａとが断熱されている。
【００１０】
図２は、図１の空気調和機の室内機１の筐体１ａの斜視図である。図２に示すように、筐体１ａは、上面視で、例えば、正方向などの四辺形の箱型の形状であり、外郭天面部１５と、外郭天面部１５の各辺に連続する外郭側面部３とを備える。外郭天面部１５には、外郭天面部１５の強度を向上させるため、傾斜部１７ａを有する凹部１７が形成され、傾斜部１７ａにより外郭天面部１５の上面と、凹部１７の底面とが接続されている。
【００１１】
図３は、図１の空気調和機の室内機１の断熱材４の斜視図である。図３に示すように、断熱材４は、筐体１ａと同様、上面視で、例えば、正方形など四辺形の箱型の形状であり、上面となる断熱材天面部４１と、断熱材側面部４２とを備える。断熱材４は、金型により発泡成形され、例えば、発泡スチロールなどを材料として形成される。断熱材天面部４１には、筐体１ａの外郭天面部１５に形成された凹部１７に対応する位置及び形状で傾斜部４３ａが形成された凹部４３が形成されている。また、断熱材天面部４１の各辺には、断熱材側面部４２が連続している。断熱材側面部４２には、断熱材側面部４２の外側面から突出して形成された複数の断熱材リブ１１が、断熱材天面部４１と直交する方向に形成され、複数の断熱材リブ１１の間の平滑な領域が断熱材フラット部１２となっている。なお、断熱材リブ１１は、本発明のリブの一例であり、断熱材フラット部１２は、本発明のフラット部の一例である。断熱材リブ１１は、金型の抜き方向と平行な方向に形成される。断熱材４は、上面からみた断熱材リブ１１を含む投影寸法が筐体１ａの内側寸法よりも大きい寸法に形成され、筐体１ａに圧入される。
【００１２】
図４は、図１の空気調和機の室内機１の断熱材フラット部１２を説明する図である。図４に示すように、外郭天面部１５と外郭側面部３とは、外郭角部１３において連続している。また、断熱材フラット部１２は、外郭側面部３に対して角度１４で傾斜しており、外郭側面部３に接触していない。角度１４の傾斜は、金型により成形された断熱材４を金型から離型させる抜き勾配であり、外郭角部１３から離れるにつれて、外郭側面部３に近づく方向に設けられている。
【００１３】
図５は、図１の空気調和機の室内機１の断熱材リブ１１を説明する図である。図５に示すように、断熱材リブ１１は、外郭側面部３の内面に接している。断熱材リブ１１と、外郭側面部３とは、断熱材リブ１１の最も外側に位置する断熱材リブ１１の頂点１１ａにおいて接しており、外郭側面部３と断熱材リブ１１とが直線状に接触することができる。断熱材リブ１１は、金型による成形後の離型を容易にするため、断熱材フラット部１２から突出する方向の幅が小さく形成される。また、断熱材リブ１１には抜き勾配が形成されておらず、断熱材４が筐体１ａに圧入されることで、外郭側面部３に内接する断熱材４が筐体１ａに対して位置決めされる。
【００１４】
図６は、図１の空気調和機の室内機１の上面部分を説明する図である。図６に示すように、外郭天面部１５の凹部１７と、断熱材天面部４１の凹部４３とは、断熱材４が筐体１ａに収容された状態において対応する位置に形成されている。外郭天面部１５と、断熱材天面部４１とは、上面及び凹部１７、４３の底面において接触している。また、外郭天面部１５と、断熱材天面部４１とは、傾斜部１７ａ、４３ａにおいて平面方向に形成された天面部隙間１６を開けて対向している。なお、天面部隙間１６は、本発明の隙間の一例である。天面部隙間１６により、外郭天面部１５と、断熱材天面部４１との平面方向の相対的な移動が許容される。
【００１５】
次に、暖房運転時の空気調和機の室内機１の温度変化について説明する。空気調和機の室内機１の暖房運転時には、室外機に設けられた圧縮機により圧縮され、高温となった冷媒が室内熱交換器２に流入する。冷媒により搬送された熱は、室内熱交換器２の周囲を介して断熱材４に伝達される。断熱材４に伝達された熱は、断熱材側面部４２から外郭側面部３に伝達され、断熱材天面部４１から外郭天面部１５に伝達され、それぞれに温度変化を生じさせ、線膨張係数に比例した変化量で膨張させる。一般に、例えば、発泡スチロールなど断熱材４として用いられる材料は、線膨張係数が、筐体１ａに用いられる板金などの線膨張係数よりも低く、膨張量が小さい。
【００１６】
筐体１ａの上面においては、断熱材天面部４１、及び、外郭天面部１５は、凹部４３を形成する底部の水平面、及び、上部の水平面において接触し、傾斜した部分において天面部隙間１６が設けられた状態である。筐体１ａの上面は、室内熱交換器２に近接するため、筐体１ａの側面よりも先に温度が上昇する。温度上昇により温度が変化すると、断熱材天面部４１、及び、外郭天面部１５は、それぞれの線膨張係数に比例した変化量で膨張し、平面方向に移動する。断熱材天面部４１、及び、外郭天面部１５のそれぞれが平面方向に移動すると、平面方向の相対的な変位が天面部隙間１６により許容される。
【００１７】
一方、筐体１ａの側面においては、外郭側面部３と、断熱材側面部４２とは、垂直方向に形成された断熱材リブ１１において直線状に接し、断熱材フラット部１２により隙間が形成された状態である。断熱材側面部４２、及び、外郭側面部３は、温度変化によりそれぞれ線膨張係数に比例した変化量で膨張する。断熱材側面部４２、及び、外郭側面部３の平面に沿って水平方向に膨張した断熱材側面部４２、及び、外郭側面部３は、それぞれ線膨張係数に比例した変化量で膨張し、移動する。断熱材側面部４２、及び、外郭側面部３の相対的な移動は、断熱材フラット部１２により許容される。また、外郭側面部３に近接する方向に膨張した断熱材側面部４２は、断熱材リブ１１により位置決めされた状態が維持される。
【００１８】
このように、筐体１ａの上面においては、断熱材天面部４１と、外郭天面部１５との平面方向の相対的な移動が天面部隙間１６により許容され、互いの移動が妨げられることが防止される。また、筐体１ａの側面においては、断熱材フラット部１２の隙間により、外郭側面部３、及び、断熱材側面部４２の平面に沿った水平方向の相対的な移動が許容される。そのため、温度変化の影響により筐体１ａ、断熱材４などが熱膨張により異なる変化量で変位しても、互いの面同士がこすれ合うことが防止され、軋み音を抑制することができる。
【００１９】
筐体１ａの側面においては、外郭側面部３と、断熱材側面部４２とが小さな幅に形成された断熱材リブ１１の頂点１１ａにより接触している。そのため、外郭側面部３と、断熱材側面部４２の断熱材リブ１１の頂点１１ａとがこすれあったとしても、軋み音の発生を抑制することができる。また、断熱材側面部４２が膨張、収縮を繰り返した場合でも、断熱材リブ１１により外郭側面部３と、断熱材側面部４２との位置関係を維持することができる。
【００２０】
筐体１ａの側面において、外郭側面部３と、断熱材側面部４２との間で軋み音が発生した場合は、外郭側面部３と、断熱材側面部４２の断熱材リブ１１の頂点１１ａとのこすれによるものであることが容易に想定される。従って、軋み音抑制のための対策として、断熱材リブ１１に摺動性のあるテープなどをはり付けることで滑りを容易にすることが可能となる。このように、軋み音が発生した場合には、発生源を容易に特定することが可能であり、更に、その発生源に対して素早い対策を施すことが可能となる。
【００２１】
なお、断熱材側面部４２の各辺に設ける断熱材リブ１１の本数は、２本などであると、断熱材４と、筐体１ａとの位置関係を維持しつつ、かつ、軋み音の発生を良好に抑制できる。断熱材リブ１１の本数は、限定されず、室内機１の大きさや、断熱材４の材質などに応じて適宜選定することができるが、断熱材リブ１１の本数が多すぎては、軋み音の発生源となる場所を増やすことになるため適切ではない。
【００２２】
以上説明した、本発明に係る空気調和機の室内機１によれば、筐体１ａと断熱材４とが断熱材リブ１１により直線状に接触するため、温度変化により筐体１ａと断熱材４との間に相対的な寸法変化が発生しても、筐体１ａと断熱材４とのこすれが生じにくい。また、こすれが生じても、こすれによる軋み音が発生しにくく、且つ、発生場所の特定が容易である。
【００２３】
本発明に係る空気調和機の室内機１によれば、発泡形成品により形成される断熱材４は、金型の抜き方向と平行に断熱材リブ１１が設けられているため、離型が容易である。
【００２４】
また、本発明に係る空気調和機の室内機１によれば、勾配を有する断熱材フラット部１２は、離型が容易であり、且つ、筐体１ａと断熱材４との接触も防止できる。
【００２５】
本発明に係る空気調和機の室内機１によれば、外郭天面部１５、及び、断熱材天面部４１は、対向する凹部１７、４３の傾斜部１７ａ、４３ａにおいて天面部隙間１６が設けられているため、平面方向の相対的な移動が許容され、且つ、強度を維持することができる。
【００２６】
本発明に係る空気調和機の室内機１によれば、断熱材リブ１１が各辺に２本以上形成されていることで、外郭側面部３と断熱材側面部４２との隙間を良好に維持できる。
【００２７】
本発明に係る空気調和機の室内機１によれば、筐体１ａの寸法よりも大きい投影寸法の断熱材４が圧入されることで、外郭側面部３に対する断熱材側面部４２の位置関係を良好に維持できる。
【００２８】
本発明に係る空気調和機の室内機１によれば、断熱材リブ１１の先端に摺動性のある材料を用いることで、こすれによる軋み音への対策が容易である。
【符号の説明】
【００２９】
１  空気調和機の室内機、１ａ  筐体、２  室内熱交換器、３  外郭側面部、４  断熱材、５  ターボファン、６  吹出口、７  吸込口、８  室内ファンモータ、９  化粧パネル、１１  断熱材リブ、１１ａ  頂点、１２  断熱材フラット部、１３  外郭角部、１４  角度、１５  外郭天面部、１６  天面部隙間、１７、４３  凹部、１７ａ、４３ａ  傾斜部、４１  断熱材天面部、４２  断熱材側面部。
【図１】
2017109849.tif 000003
【図２】
2017109849.tif 000004
【図３】
2017109849.tif 000005
【図４】
2017109849.tif 000006
【図５】
2017109849.tif 000007
【図６】
2017109849.tif 000008
【国際調査報告】
2017109849.tif 000009
2017109849.tif 000010
2017109849.tif 000011
2017109849.tif 000012